(57)【要約】【課題】サブフィールド駆動方式を用いて、走査速度を上げることなく階調再現力を向上させることが可能な表示装置の駆動装置を提供する。【解決手段】表示装置の駆動装置は、電気光学材料、複数の画素、画素ごとに設けられたスイッチング素子、各スイッチング素子に接続する走査線及びデータ線を有し、電気光学材料の透過率を変化させることによって表示装置を駆動する。駆動制御手段は、１フィールドを時間軸上で複数のサブフィールドに分割し、各サブフィールドにおいて表示すべき階調に応じたオン電圧／オフ電圧の２値によるデータ信号を印加し、少なくとも一つのサブフィールド周期において、画素電極にデータ信号が供給される期間を制御する。これにより、最小階調制御単位を小さくすることができ、より詳細な階調制御が可能となる。よって、走査速度を上げることなく、階調表現力を高めることが可能となる。【選択図】図１
2008304489.tif 000002
【特許請求の範囲】
【請求項１】
電気光学材料と、表示領域を形成する複数の画素と、前記画素ごとに設けられたスイッチング素子と、前記各スイッチング素子に接続する走査線およびデータ線とを含み、前記表示領域における前記電気光学材料の透過率を変化させることによって表示を形成する表示装置を表示駆動するための駆動装置であって、
前記表示領域における１枚分の画像を形成する１フィールドを時間軸上で一定周期の複数のサブフィールドに分割し、前記各サブフィールドにおいて前記各画素に対して表示すべき階調に応じたオン電圧および／またはオフ電圧の２値によるデータ信号を印加するデジタル駆動を行うとともに、
少なくとも一つの前記サブフィールド周期において、前記画素電極に前記データ信号が供給される期間を制御するための駆動制御手段を備えたことを特徴とする表示装置の駆動装置。
【請求項２】
前記駆動制御手段は、
複数の前記走査線ごとに順次走査信号を供給する走査線駆動回路と、
複数の前記データ線ごとに前記データ信号を供給するデータ線駆動回路と、
前記走査線駆動回路に前記走査信号の出力期間を制御するためのイネーブル信号を含む複数の信号を供給するコントロール回路と、を含み、
前記データ信号は、前記走査信号によって前記スイッチング素子がオン状態となっているときに前記画素に印加され、
前記コントロール回路は、前記１フィールド内における１以上の所定のサブフィールドに供給される前記走査信号の振幅を、前記所定のサブフィールド以外のサブフィールドにおける前記走査信号の振幅よりも短くするための前記イネーブル信号を前記走査線駆動回路に供給することを特徴とする請求項１に記載の表示装置の駆動装置。
【請求項３】
前記駆動制御手段は、
複数の前記走査線ごとに順次走査信号を供給する走査線駆動回路と、
複数の前記データ線ごとに前記データ信号を供給するデータ線駆動回路と、
前記データ線駆動回路に前記データ信号の出力期間を制御するためのイネーブル信号を含む複数の信号を供給するコントロール回路と、を含み、
前記データ信号は、前記走査信号によって前記スイッチング素子がオン状態となっているときに前記画素に印加され、
前記コントロール回路は、前記１フィールド内における１以上の所定のサブフィールドに供給される前記データ信号の振幅を、前記所定のサブフィールド以外のサブフィールドにおける前記データ信号の振幅よりも短くするための前記イネーブル信号を前記データ線駆動回路に供給することを特徴とする請求項１に記載の表示装置の駆動装置。
【請求項４】
前記駆動制御手段は、１水平期間において、同一の走査線に対して複数回連続して信号を書き込み、前記複数回の中で前記信号の書き込み方を変える制御を行うことを特徴とする請求項１又は２に記載の表示装置の駆動装置。
【請求項５】
前記駆動制御手段は、複数の画素を一度にまとめて選択して信号を供給する場合に、前記複数の画素を選択する時間を変化させる制御を行うことを特徴とする請求項１又は３に記載の表示装置の駆動装置。
【請求項６】
所定数の走査線を走査し終えるタイミング、所定数の画素を走査し終えるタイミング、前記１サブフィールドが終了するタイミング、及び前記１フィールドが終了するタイミングのいずれかのタイミングで、前記印加する電圧の極性を反転させる極性反転駆動手段を更に備えることを特徴とする請求項１乃至５のいずれか一項に記載の表示装置の駆動装置。
【請求項７】
請求項１乃至６のいずれか一項に記載の表示装置の駆動装置と、
前記表示装置の駆動装置によって駆動され、画像を表示する表示部と、を備えることを特徴とする電子機器。
【請求項８】
電気光学材料と、表示領域を形成する複数の画素と、前記画素ごとに設けられたスイッチング素子と、前記各スイッチング素子に接続する走査線およびデータ線とを含み、前記表示領域における前記電気光学材料の透過率を変化させることによって表示を形成する表示装置を表示駆動するための駆動方法であって、
前記表示領域における１枚分の画像を形成する１フィールドを時間軸上で一定周期の複数のサブフィールドに分割し、前記各サブフィールドにおいて前記各画素に対して表示すべき階調に応じたオン電圧および／またはオフ電圧の２値によるデータ信号を印加するデジタル駆動を行うとともに、
少なくとも一つの前記サブフィールド周期において、前記画素電極に前記データ信号が供給される期間を制御するための駆動制御工程を備えたことを特徴とする表示装置の駆動方法。
【発明の詳細な説明】
【技術分野】
【０００１】
本発明は、サブフィールド駆動方式により階調表示制御を行う表示装置の駆動装置、駆動方法、及び電子機器に関する。
【背景技術】
【０００２】
従来から、例えば液晶表示装置における液晶パネルに対するデジタル的な駆動方式として、１フィールドを時間軸上で複数のサブフィールドに分割して各サブフィールドにおいて各画素を階調に応じてオン電圧又はオフ電圧を印加するサブフィールド駆動方式が提案されている。例えば、特許文献１には、オン電圧を印加した場合に電気光学材料の透過率が飽和するまでの飽和応答時間よりもサブフィールドの時間を短く設定し、表示データに基づいてオン電圧を印加するサブフィールドとオフ電圧を印加するサブフィールドとを決定して階調表現を行う技術が記載されている。
【０００３】
【特許文献１】特開２００３−１１４６６１号公報
【発明の開示】
【発明が解決しようとする課題】
【０００４】
ところで、サブフィールド駆動方式を用いた場合、表示可能な階調が、分割したサブフィールドの数に制限されてしまう傾向にある。つまり、最小パルス幅（１サブフィールドの時間幅に対応する）によって、階調再現力が決定されると言える。例えば、フィールドをＭ個のサブフィールドに分割した場合、表示可能な階調は（Ｍ＋１）となる。ここで、階調数を増やすためには、パルスの組み合わせによって液晶のアナログ応答部の特性を利用したり、サブフィールドの数を増やしたりすることが考えられるが、この場合には画面の走査を高速にする必要がある。しかし、実際には駆動素子の動作速度により限界があると言える。
【０００５】
上記した特許文献１に記載された方法では、透過率を飽和させることが可能なオン電圧又はオフ電圧が画素電極にチャージされるため、特に電圧を印加する側の液晶の応答は速く、階調を細かく制御するにはサブフィールド数を高くしなければならかなった（つまり走査速度を上げなくてはならなかった）。
【０００６】
本発明は、以上の点に鑑みてなされたものであり、サブフィールド駆動方式を用いて、走査速度を上げることなく階調再現力を向上させることが可能な表示装置の駆動装置、駆動方法、及び電子機器を提供することを課題の一つとする。
【課題を解決するための手段】
【０００７】
本発明の１つの観点では、電気光学材料と、表示領域を形成する複数の画素と、前記画素ごとに設けられたスイッチング素子と、前記各スイッチング素子に接続する走査線およびデータ線とを含み、前記表示領域における前記電気光学材料の透過率を変化させることによって表示を形成する表示装置を表示駆動するための駆動装置は、前記表示領域における１枚分の画像を形成する１フィールドを時間軸上で一定周期の複数のサブフィールドに分割し、前記各サブフィールドにおいて前記各画素に対して表示すべき階調に応じたオン電圧および／またはオフ電圧の２値によるデータ信号を印加するデジタル駆動を行うとともに、少なくとも一つの前記サブフィールド周期において、前記画素電極に前記データ信号が供給される期間を制御するための駆動制御手段を備えたことを特徴とする。
【０００８】
上記の表示装置の駆動装置は、電気光学材料と、表示領域を形成する複数の画素と、画素ごとに設けられたスイッチング素子と、各スイッチング素子に接続する走査線およびデータ線とを含み、表示領域における電気光学材料の透過率を変化させることによって表示を形成する表示装置を表示駆動する。この場合、駆動制御手段は、表示領域における１枚分の画像を形成する１フィールドを時間軸上で一定周期の複数のサブフィールドに分割し、各サブフィールドにおいて各画素に対して表示すべき階調に応じたオン電圧および／またはオフ電圧の２値によるデータ信号を印加するデジタル駆動（サブフィールド駆動）を行う。また、駆動制御手段は、少なくとも一つのサブフィールド周期において、画素電極にデータ信号が供給される期間を制御する。これにより、画素電極にデータ信号が供給される期間を一定にして駆動させる場合と比較して、最小階調制御単位を小さくすることが可能となる。したがって、上記の表示装置の駆動装置によれば、より詳細な階調制御が可能となる。つまり、走査速度を上げることなく（即ち１フィールドにおけるサブフィールド数を増やすことなく）、階調表現力を高めることが可能となる。
【０００９】
上記の表示装置の駆動装置の一態様では、前記駆動制御手段は、複数の前記走査線ごとに順次走査信号を供給する走査線駆動回路と、複数の前記データ線ごとに前記データ信号を供給するデータ線駆動回路と、前記走査線駆動回路に前記走査信号の出力期間を制御するためのイネーブル信号を含む複数の信号を供給するコントロール回路と、を含み、前記データ信号は、前記走査信号によって前記スイッチング素子がオン状態となっているときに前記画素に印加され、前記コントロール回路は、前記１フィールド内における１以上の所定のサブフィールドに供給される前記走査信号の振幅を、前記所定のサブフィールド以外のサブフィールドにおける前記走査信号の振幅よりも短くするための前記イネーブル信号を前記走査線駆動回路に供給する。つまり、駆動制御手段は、走査線駆動回路に供給するイネーブル信号を変化させることによって、１フィールド内における所定のサブフィールドに供給される走査信号の振幅を所定のサブフィールド以外のサブフィールドにおける走査信号の振幅よりも短くすることにより、画素電極にデータ信号が供給される期間を制御することができる。
【００１０】
上記の表示装置の駆動装置の他の一態様では、前記駆動制御手段は、複数の前記走査線ごとに順次走査信号を供給する走査線駆動回路と、複数の前記データ線ごとに前記データ信号を供給するデータ線駆動回路と、前記データ線駆動回路に前記データ信号の出力期間を制御するためのイネーブル信号を含む複数の信号を供給するコントロール回路と、を含み、前記データ信号は、前記走査信号によって前記スイッチング素子がオン状態となっているときに前記画素に印加され、前記コントロール回路は、前記１フィールド内における１以上の所定のサブフィールドに供給される前記データ信号の振幅を、前記所定のサブフィールド以外のサブフィールドにおける前記データ信号の振幅よりも短くするための前記イネーブル信号を前記データ線駆動回路に供給する。つまり、駆動制御手段は、データ線駆動回路に供給するイネーブル信号を変化させることによって、１フィールド内における所定のサブフィールドに供給されるデータ信号の振幅を所定のサブフィールド以外のサブフィールドにおけるデータ信号の振幅よりも短くすることにより、画素電極にデータ信号が供給される期間を制御することができる。
【００１１】
上記の表示装置の駆動装置の他の一態様では、前記駆動制御手段は、１水平期間において、同一の走査線に対して複数回連続して信号を書き込み、前記複数回の中で前記信号の書き込み方を変える制御を行う。例えば、１水平期間において同一の画素に対して４回連続で信号を書き込むところを、４回のうち３回のみ書き込んだり、４回のうち１回のみ書き込んだりすることによって、スイッチング素子をオンにする時間を制御する。これにより、表示画像のコントラストの低下を抑制しつつ、階調表現力を高めることができる。
【００１２】
上記の表示装置の駆動装置の他の一態様では、前記駆動制御手段は、複数の画素を一度にまとめて選択して信号を供給する場合に、前記複数の画素を選択する時間を変化させる制御を行うことができる。
【００１３】
上記の表示装置の駆動装置において好適には、所定数の走査線を走査し終えるタイミング、所定数の画素を走査し終えるタイミング、前記１サブフィールドが終了するタイミング、及び前記１フィールドが終了するタイミングのいずれかのタイミングで、前記印加する電圧の極性を反転させる極性反転駆動手段を更に備える。これにより、一方の極性の電圧のみを印加させ続けた場合に発生し得る表示部の劣化などを適切に抑制することが可能となる。
【００１４】
上記の表示装置の駆動装置は、表示装置の駆動装置によって駆動され、画像を表示する表示部を備える画像表示装置に好適に適用することができる。
【００１５】
本発明の他の観点では、電気光学材料と、表示領域を形成する複数の画素と、前記画素ごとに設けられたスイッチング素子と、前記各スイッチング素子に接続する走査線およびデータ線とを含み、前記表示領域における前記電気光学材料の透過率を変化させることによって表示を形成する表示装置を表示駆動するための駆動方法は、前記表示領域における１枚分の画像を形成する１フィールドを時間軸上で一定周期の複数のサブフィールドに分割し、前記各サブフィールドにおいて前記各画素に対して表示すべき階調に応じたオン電圧および／またはオフ電圧の２値によるデータ信号を印加するデジタル駆動を行うとともに、少なくとも一つの前記サブフィールド周期において、前記画素電極に前記データ信号が供給される期間を制御するための駆動制御工程を備えたことを特徴とする。上記の表示装置の駆動方法によっても、走査速度を上げることなく、階調表現力を高めることが可能となる。
【発明を実施するための最良の形態】
【００１６】
以下、図面を参照して本発明の好適な実施形態について説明する。
【００１７】
［第１実施形態］
まず、本発明の第１実施形態について説明する。
【００１８】
図１は、第１実施形態に係る画像表示装置１００の概略構成を示すブロック図である。画像表示装置１００は、主に、コントローラ１０と、走査線駆動回路１１と、データ線駆動回路１２と、表示パネル１４と、を備える。画像表示装置１００は、画像信号を取得し、これを表示させるための装置である。具体的には、画像表示装置１００は、１フィールドを時間軸上で複数のサブフィールドに分割して各サブフィールドにおいて各画素を階調に応じてオン電圧又はオフ電圧を印加するサブフィールド駆動方式（デジタル駆動方式）に基づいて、画像を表示する。つまり、１サブフィールド期間内で全画素を順次、オン若しくはオフに相当する２値の電圧のどちらかで書込み、これを１フィールドを構成する全てのサブフィールドにおいて繰り返して実行することで、１フィールド期間の明るさを決定する。なお、ここでは、画像表示装置１００の表示モードはノーマリーホワイトであり、画素に電圧が加わった状態で黒表示（オン状態）、電圧が加わらない状態で白表示（オフ状態）を行うものとして説明する。
【００１９】
コントローラ１０は、クロック信号ｃｌｋと、垂直走査信号ＶＳと、水平走査信号ＨＳと、画像信号Ｄと、を外部から取得する。そして、コントローラ１０は、これらの取得した信号に基づいて、スタートパルスＤＹと、走査側転送クロックＣＬＹと、イネーブル信号ＥＮＢＹと、データ転送クロックＣＬＸと、２値のデータ信号Ｄｓと、を生成する。スタートパルスＤＹは、走査側（Ｙ側）に対する走査の開始タイミングで出力されるパルス信号である。走査側転送クロックＣＬＹは、走査側（Ｙ側）の水平走査を規定する信号である。イネーブル信号ＥＮＢＹは、ハイレベル又はローレベルを示すデータであり、走査線駆動回路１１から表示パネル１４（詳しくは走査線１４ａ）に対して出力される走査信号Ｇ１、Ｇ２、Ｇ３、…、Ｇｎを制御するために用いられる。データ転送クロックＣＬＸは、データ線駆動回路１２へデータを転送するタイミングを規定する信号である。データ信号Ｄｓは、画像信号Ｄに対応するデータであり、各サブフィールド期間毎に画素１４ｃをオン状態又はオフ状態にするためのハイレベル又はローレベルを示すデータである。なお、コントローラ１０、走査線駆動回路１１、及びデータ線駆動回路１２には、その他にも各種の信号が入力されるが、本実施形態と特に関係の無いものについては説明を省略する。
【００２０】
走査線駆動回路１１は、コントローラ１０から、スタートパルスＤＹと、走査側転送クロックＣＬＹと、イネーブル信号ＥＮＢＹとを取得し、表示パネル１４の走査線１４ａに対して走査信号Ｇ１、Ｇ２、Ｇ３、…、Ｇｎを出力する。具体的には、走査線駆動回路１１は、コントローラ１０から供給されるスタートパルスＤＹを走査側転送クロックＣＬＹに従って転送し、走査線１４ａの各々に走査信号Ｇ１、Ｇ２、Ｇ３、…、Ｇｎとして順次排他的に供給するものである。
【００２１】
データ線駆動回路１２は、コントローラ１０から、データ転送クロックＣＬＸと、データ信号Ｄｓとを取得し、表示パネル１４のデータ線１４ｂに対してデータ信号ｄ１、ｄ２、ｄ３、…、ｄｍを出力する。具体的には、データ線駆動回路１２は、ある水平走査期間において２値信号Ｄｓをデータ線１４ｂの本数に相当するｍ個順次ラッチした後、ラッチしたｍ個の２値信号Ｄｓを、次の水平走査期間において、それぞれ対応するデータ線１４ｂにデータ信号ｄ１、ｄ２、ｄ３、…、ｄｍとして一斉に供給するものである。
【００２２】
表示パネル１４は、液晶（ＬＣＤ）などによって構成され、電圧が印加されることによって画像信号などを表示する表示部である。具体的には、表示パネル１４は、走査線１４ａと、データ線１４ｂと、画素１４ｃとを備える。詳しくは、表示パネル１４には、ｎ本の走査線１４ａが、図１においてＸ（行）方向に延在して形成され、ｍ本のデータ線１４ｂがＹ（列）方向に沿って延在して形成されている。そして、画素１４ｃは、走査線１４ａとデータ線１４ｂとの各交差に対応して設けられて、マトリクス状に配列されている。
【００２３】
なお、上記したコントローラ１０、走査線駆動回路１１、及びデータ線駆動回路１２は、主に、本発明における表示装置の駆動回路として機能する。具体的には、コントローラ１０、走査線駆動回路１１、及びデータ線駆動回路１２は、協調して動作することにより、駆動制御手段、及び極性反転駆動手段として機能する。また、コントローラ１０はコントロール回路として機能する。
【００２４】
ここで、図２を参照して、画素１４ｃの具体的な構成について説明する。画素１４ｃは、主に、トランジスタ１４ｄと、蓄積容量１４ｅと、画素電極１４ｆと、液晶１４ｇと、対向電極１４ｈと、を有する。
【００２５】
図２に示す構成では、スイッチング素子としてのトランジスタ１４ｄのゲートが走査線１４ａに、ソースがデータ線１４ｂに、ドレインが画素電極１４ｆに、それぞれ接続される。そして、画素電極１４ｆと対向電極１４ｈとの間に、電気光学材料たる液晶１４ｇが挟持されて液晶層が形成されている。ここで、対向電極１４ｈは、実際には画素電極１４ｆと対向するように対向基板の全面に形成される透明電極である。また、対向電極１４ｈには対向電極電圧Ｖｃｏｍが印加されるようなっている。更に、画素電極１４ｆと対向電極１４ｈとの間においては蓄積容量１４ｅが形成されて、液晶層を挟む電極と共に電荷を蓄積する。なお、図２中の電圧Ｖｌｃは、画素１４ｃにチャージされる電圧（以下、「チャージ電圧Ｖｌｃ」と呼ぶ。）に相当する。
【００２６】
各走査線１４ａには前述した走査線駆動回路１１から夫々走査信号Ｇ１、Ｇ２、…、Ｇｎ（以下では、これらをまとめて単に「Ｇｎ」とも表記する。）が供給される。各走査信号によって、各ラインの画素を構成するトランジスタ１４ｄが導通状態となり、これにより、前述したデータ線駆動回路１２から各データ線１４ｂに供給されたデータ信号ｄ１、ｄ２、…、ｄｍ（以下では、これらをまとめて単に「ｄｍ」とも表記する。）が供給されることとなる。そして、書き込まれた画素電極１４ｆと対向電極１４ｈとの電位差に応じて液晶１４ｇの分子集合の配向状態が変化して、光の変調が行われ、階調表示が可能となる。
【００２７】
次に、図３を参照して、第１実施形態に係る走査線駆動回路１１の構成について具体的に説明する。図３は、走査線駆動回路１１の概略構成を示す図である。
【００２８】
走査線駆動回路１１は、シフトレジスタ１１ａと、アンド回路１１ｂ１〜１１ｂｎと、信号線１１ｃ１〜１１ｃｎと、信号線１１ｄ１〜１１ｄｎと、を有する。なお、以下では、アンド回路１１ｂ１〜１１ｂｎの区別をしない場合には単に「アンド回路１１ｂ」と呼び、信号線１１ｃ１〜１１ｃｎの区別をしない場合には単に「信号線１１ｃ」と呼び、信号線１１ｄ１〜１１ｄｎの区別をしない場合には単に「信号線１１ｄ」と呼ぶ。
【００２９】
シフトレジスタ１１ａは、コントローラ１０からスタートパルスＤＹ及び走査側転送クロックＣＬＹを取得する。シフトレジスタ１１ａには、ｎ本の信号線１１ｃが接続されており、コントローラ１０から供給されるスタートパルスＤＹを走査側転送クロックＣＬＹに従って転送し、信号線１１ｃの各々に信号を順次排他的に供給する。信号線１１ｃは、アンド回路１１ｂに入力している。更に、各アンド回路１１ｂからは、それぞれ信号線１１ｄが出力されており、信号線１１ｄは、前述した走査線１４ａ（図１参照）として、走査信号Ｇ１〜Ｇｎを出力することとなる。
【００３０】
また、アンド回路１１ｂには、コントローラ１０からイネーブル信号ＥＮＢＹが入力される。この場合、イネーブル信号ＥＮＢＹがハイレベルである場合には、信号線１１ｄから走査信号が出力されることとなる。つまり、走査線１４ａが走査されることとなる。これに対して、イネーブル信号ＥＮＢＹがローレベルである場合には、信号線１１ｄから走査信号が出力されない。つまり、走査線１４ａは走査されない。
【００３１】
このように、走査線駆動回路１１は、コントローラ１０から供給されるイネーブル信号ＥＮＢＹに応じて、走査線１４ａの走査を制御することができる。第１実施形態では、コントローラ１０はイネーブル信号ＥＮＢＹのレベル（ハイレベルとローレベル）を変化させることによって、画素１４ｃのトランジスタ１４ｄをオンにする時間を制御する。具体的には、画素１４ｃのトランジスタ１４ｄにおけるゲート選択時間を変化させる制御を行う。これによって、画素１４ｃの電荷チャージ量を変化させる。
【００３２】
（駆動方法）
次に、第１実施形態における駆動方法について具体的に説明する。第１実施形態では、１フィールド内の所定のサブフィールドにおけるゲート選択時間を、この所定のサブフィールド以外のサブフィールドにおけるゲート選択時間よりも短くする制御を行う。具体的には、所定のサブフィールドにおいて、１水平期間の所定期間においてイネーブル信号ＥＮＢＹをローレベルにする（つまり１水平期間の所定期間以外のみ、イネーブル信号ＥＮＢＹをハイレベルにする）ことによって、トランジスタ１４ｄにおけるゲート選択時間を短くする。このようにゲート選択時間を短くした場合、ゲート選択時間を短くしない場合と比較すると、画素１４ｃのチャージ電圧Ｖｌｃが低くなり、液晶１４ｇは低くなったチャージ電圧Ｖｌｃに相当する応答をする。したがって、第１実施形態によれば、ゲート選択時間を短くせずに一定にして駆動させる場合と比較して、最小階調制御単位を小さくすることが可能となる。つまり、第１実施形態によれば、走査速度を上げることなく階調表現力を高めることができ、より詳細な階調制御が可能となる。
【００３３】
ここで、図４乃至図９を参照して、第１実施形態に係る駆動方法を具体的に説明する。ここでは、１フィールドを３２サブフィールドに分割した場合を一例として説明する。
【００３４】
図４は、第１実施形態に係る走査方法を説明するための図である。図４（ａ）は、１フィールドと、それを構成する３２サブフィールドとを示しており、図４（ｂ）は、サブフィールドＳＦ１において走査される走査線１４ａ、及び走査信号Ｇ１、Ｇ２、Ｇ３、…、Ｇｎを示している。第１実施形態では、図４（ａ）中でハッチングして示した４つのサブフィールドを所定のサブフィールドとし、他のサブフィールド（以下、「通常サブフィールド」と呼ぶ。）よりも、トランジスタ１４ｄのゲート選択時間を短くする。具体的には、通常サブフィールドでは、１水平期間をゲート選択時間として用い、ハッチングして示した所定の４サブフィールドでは、１水平期間よりも短い期間をゲート選択時間として用いる。
【００３５】
図５は、第１実施形態で用いる、垂直走査信号ＶＳ及びスタートパルスＤＹを示す図である。図５（ａ）は垂直走査信号ＶＳを示しており、図５（ｂ）はスタートパルスＤＹを示している。図５（ｂ）に示すように、コントローラ１０は、１垂直期間（１フィールド期間）において、３２発のスタートパルスＤＹを発生する。また、前述したように、図５（ｂ）中の符号Ｔ１ａで示す所定の４サブフィールドを、符号Ｔ１ｂで示す通常サブフィールドよりも、トランジスタ１４ｄのゲート選択時間を短くする。
【００３６】
次に、図６は、上記した通常サブフィールドにおいて用いる各制御信号のタイミングチャートを示す。図６（ａ）はスタートパルスＤＹを示し、図６（ｂ）は走査側転送クロックＣＬＹを示し、図６（ｃ）はイネーブル信号ＥＮＢＹを示し、図６（ｄ）は走査信号Ｇ１、Ｇ２、Ｇ３、…、Ｇｎを示している。図６（ｃ）に示すように、通常サブフィールドでは、コントローラ１０は、イネーブル信号ＥＮＢＹをハイレベルに維持する。これにより、走査側転送クロックＣＬＹに同期して、走査線１４ａに対して走査信号Ｇ１、Ｇ２、Ｇ３、…、Ｇｎが出力される（図６（ｄ）参照）。この場合、通常サブフィールドでは、トランジスタ１４ｄのゲート選択時間は１水平期間Ｈ１となる。
【００３７】
図７は、通常サブフィールドにおいて図６に示すような駆動を行った場合のチャージ電圧Ｖｌｃ及び透過率ＬＣを示している。なお、ここでは、データ信号ｄｍの電圧が「１２Ｖ」であり、対向電極電圧Ｖｃｏｍが「７Ｖ」である場合を一例として説明する。
【００３８】
図７（ａ）は１サブフィールドにおける走査信号Ｇｎを示し、図７（ｂ）は１つの画素１４ｃのチャージ電圧Ｖｌｃを示し、図７（ｃ）は液晶１４ｇの透過率ＬＣを示している。この場合、画素１４ｃはデータ信号ｄｍの１２Ｖをチャージし（図７（ｂ）参照）、液晶１４ｇは１２Ｖの印加電圧に相当する応答をする（図７（ｃ）参照）。具体的には、１サブフィールドの終了時に透過率が０％まで落ちる。この場合、図７（ｃ）中の面積Ｍ１（電圧積分値）に相当するだけ暗くなる。この面積Ｍ１は、通常サブフィールドにおける駆動を行った場合の最小階調制御単位に相当する。
【００３９】
次に、図８及び図９を参照して、ゲート選択時間を短くした場合について具体的に説明する。
【００４０】
図８は、ゲート選択時間を短くした１つの所定のサブフィールドにおいて用いる各制御信号のタイミングチャートを示す。図８（ａ）はスタートパルスＤＹを示し、図８（ｂ）は走査側転送クロックＣＬＹを示し、図８（ｃ）はイネーブル信号ＥＮＢＹを示し、図８（ｄ）は走査信号Ｇ１、Ｇ２、Ｇ３、…、Ｇｎを示している。図８（ｃ）に示すように、ゲート選択時間を短くする場合には、コントローラ１０は、１水平期間Ｈ１においてイネーブル信号ＥＮＢＹをハイレベルとローレベルとの間で切り替える。このようなイネーブル信号ＥＮＢＹを用いた場合、図８（ｄ）に示すように、イネーブル信号ＥＮＢＹがハイレベルとなっている期間Ｔ３ｃのみ、走査信号Ｇ１、Ｇ２、Ｇ３、…、Ｇｎが出力されることとなる。つまり、トランジスタ１４ｄのゲート選択時間が１水平期間Ｈ１よりも短くなる。言い換えると、前述した通常サブフィールドのゲート選択時間よりも短くなることがわかる（図６（ｄ）参照）。
【００４１】
図９は、ゲート選択時間を短くした４サブフィールドにおいて図８に示すような駆動を行った場合の、チャージ電圧Ｖｌｃ及び透過率ＬＣを示している。なお、ここでは、データ信号ｄｍの電圧が「１２Ｖ」であり、対向電極電圧Ｖｃｏｍが「７Ｖ」である場合を一例として説明する。また、図９では、比較のため、ゲート選択時間を短くした駆動を行った場合の結果を実線で示し、通常サブフィールドにおける駆動を行った場合の結果を一点鎖線で示している。
【００４２】
図９（ａ）は走査信号Ｇｎを示し、図９（ｂ）はチャージ電圧Ｖｌｃを示し、図９（ｃ）は透過率ＬＣを示している。この場合、図９（ａ）に示すように、走査信号Ｇｎが出力される期間は、通常サブフィールドにおける駆動を行った場合よりも短い。そのため、図９（ｂ）に示すように、画素１４ｃはデータ信号ｄｍの１２Ｖをチャージしきれずに、１０Ｖしかチャージできていない。したがって、液晶１４ｇは１０Ｖの印加電圧に相当する応答をする（図９（ｃ）参照）。具体的には、１サブフィールドの終了時に透過率が３０％までしか落ちない。この場合、図９（ｃ）中の面積Ｍ２（電圧積分値）に相当するだけ暗くなる。この面積Ｍ２は、通常サブフィールドにおける駆動を行った場合の面積Ｍ１（図７（ｃ）参照）よりも小さいと言える。つまり、ゲート選択時間を短くした場合には、通常サブフィールドにおける駆動を行った場合よりも、最小階調制御単位を小さくすることができると言える。
【００４３】
以上のように、第１実施形態によれば、ゲート選択時間を変化させることによって最小階調制御単位を小さくすることができるため、より詳細な階調制御が可能となる。つまり、第１実施形態によれば、走査速度を上げることなく（即ち１フィールドにおけるサブフィールド数を増やすことなく）、階調表現力を高めることが可能となる。
【００４４】
なお、上記では、ゲート選択時間を短くする所定のサブフィールドを４つ用いる実施形態を示したが、これに限定はされない。ゲート選択時間を短くするサブフィールドを、３以下又は５以上用いても良い。また、上記では、１フィールド期間の後半の連続するサブフィールドにおいて、ゲート選択時間を短くする実施形態を示したが、これに限定はされない。つまり、ゲート選択時間を短くするサブフィールドを連続させなくても良いし、１フィールド期間の種々の期間においてゲート選択時間を短くしても良い。
【００４５】
更に、表示パネル１４に対して印加する電圧（駆動電圧）の極性を、所定のタイミングで反転させることが好ましい。つまり、表示パネル１４をコモン反転駆動又はライン反転駆動することが好ましい。具体的には、所定数の走査線１４ａを走査し終えるタイミング、所定数の画素１４ｃを走査し終えるタイミング、１サブフィールドが終了するタイミング、及び１フィールドが終了するタイミングのいずれかのタイミングで、印加する電圧の極性を反転させることができる。この場合、コントローラ１０が、データ線駆動回路１２から出力される信号の電圧の極性が反転するように制御を行う。例えば、コントローラ１０は、所定電圧を基準にして正極性のハイレベル信号と負極性のハイレベル信号とが反転するように制御を行う。
【００４６】
図１０は、駆動電圧の極性を反転させた場合におけるタイミングチャートの一例を示す図である。ここでは、１サブフィールドの間に走査線を１回走査し終えるタイミングで（即ち１サブフィールドが終了するタイミングで）、駆動電圧の極性を反転させた場合を例に挙げる。
【００４７】
図１０（ａ）はスタートパルスＤＹを示し、図１０（ｂ）は液晶の駆動電圧を示している。図１０（ｂ）に示すように、１サブフィールドが終了するタイミングで、液晶１４ｇの駆動電圧が、電圧Ｖ０を基準にして正極性のハイレベル信号「＋Ｖ１」と負極性のハイレベル信号「−Ｖ１」とに反転されていることがわかる。このように駆動電圧の極性を反転させることにより、一方の極性の電圧のみを印加させ続けた場合に発生し得る表示パネル１４の劣化などを抑制することが可能となる。なお、図１０（ｂ）に示すように、１サブフィールド期間の全体に渡って同一の電圧に保持することには限定されない。他の例では、１サブフィールド期間において、電圧を印加する期間と電圧を印加しない期間とを設けて、液晶を駆動させることができる。
【００４８】
［第２実施形態］
次に、本発明の第２実施形態について説明する。第２実施形態でも、前述した第１実施形態と同様、１フィールド内の所定のサブフィールドにおけるゲート選択時間を、この所定のサブフィールド以外のサブフィールドにおけるゲート選択時間よりも短くする制御を行う。しかしながら、第２実施形態では、１つの走査線１４ａにおける複数の画素１４ｃごとに信号を供給する駆動方式を採用する画像表示装置に対して、前述した制御を実行させる点で第１実施形態と異なる。
【００４９】
図１１は、第２実施形態に係る画像表示装置１０１の概略構成を示すブロック図である。画像表示装置１０１は、主に、コントローラ１０ｐと、走査線駆動回路１１ｐと、データ線駆動回路１２ｐと、表示パネル１４と、を備える。画像表示装置１０１は、画像表示装置１００と同様に、サブフィールド駆動方式に基づいて画像を表示する。また、画像表示装置１０１は、１つの走査線１４ａにおける複数の画素１４ｃごとに走査を行う駆動方式（ブロック順次駆動）を採用する。具体的には、画像表示装置１０１は、データ線駆動回路１２ｐによって、１つの走査線１４ａ上の６つの画素１４ｃを、一度にまとめて選択して信号を供給する。なお、画像表示装置１００における同一の構成要素及び信号に対しては同一の符号を付し、その説明を省略するものとする。
【００５０】
コントローラ１０ｐは、主に、スタートパルスＤＹと、走査側転送クロックＣＬＹと、スタートパルスＤＸと、データ転送クロックＣＬＸと、イネーブル信号ＥＮＢＸと、を生成する。スタートパルスＤＸは、データ線側（Ｘ側）に対して信号を供給する開始タイミングで出力されるパルス信号である。イネーブル信号ＥＮＢＸは、ハイレベル又はローレベルを示すデータであり、データ線駆動回路１２ｐから表示パネル１４（詳しくはデータ線１４ｂ）に対して出力されるデータ信号ｄ１、ｄ２、ｄ３、…、ｄｍを制御するために用いられる。
【００５１】
走査線駆動回路１１ｐは、コントローラ１０ｐからスタートパルスＤＹ及び走査側転送クロックＣＬＹを取得し、表示パネル１４の走査線１４ａに対して走査信号Ｇ１、Ｇ２、Ｇ３、…、Ｇｎを出力する。なお、走査線駆動回路１１ｐは、前述した走査線駆動回路１１と異なり、イネーブル信号ＥＮＢＹを取得しない。よって、走査線駆動回路１１ｐは、主に走査側転送クロックＣＬＹにのみ従って、走査線１４ａに対して走査信号Ｇ１、Ｇ２、Ｇ３、…、Ｇｎを出力することとなる。
【００５２】
データ線駆動回路１２ｐは、基本的には、コントローラ１０ｐから、データ転送クロックＣＬＸ、スタートパルスＤＸ、及びイネーブル信号ＥＮＢＸを取得し、表示パネル１４のデータ線１４ｂに対してデータ信号ｄ１、ｄ２、ｄ３、…、ｄｍを出力する。具体的には、データ線駆動回路１２ｐは、主に、シフトレジスタ１２ｐａと、アンド回路１２ｐｂ１〜１２ｐｌｂと、電圧選択回路１２ｐｃと、を有する。
【００５３】
シフトレジスタ１２ｐａは、データ転送クロックＣＬＸに従って、信号Ｓ１’〜Ｓｌ’を出力する（なお、「ｌ」は「ｍ／６」に相当する）。つまり、シフトレジスタ１２ｐａは、１つの走査線１４ａにおける６つの画素１４ｃを、一度にまとめて走査するためのデータを出力する。アンド回路１２ｐｂ１〜１２ｐｌｂには、信号Ｓ１’〜Ｓｌ’及びイネーブル信号ＥＮＢＸが入力される。この場合、イネーブル信号ＥＮＢＸがハイレベルである場合には、アンド回路１２ｐｂ１〜１２ｐｌｂから、信号Ｓ１’〜Ｓｌ’に対応する信号Ｓ１〜Ｓｌが出力される。これに対して、イネーブル信号ＥＮＢＸがローレベルである場合には、アンド回路１２ｐｂ１〜１２ｐｌｂから信号Ｓ１〜Ｓｌは出力されない。電圧選択回路１２ｐｃは、信号Ｓ１〜Ｓｌを取得すると共に、コントローラ１０ｐから供給される信号に応じてデータ信号ｄ１、ｄ２、ｄ３、…、ｄｍに対応する電圧を選択する。
【００５４】
このように、データ線駆動回路１２ｐは、コントローラ１０ｐから供給されるイネーブル信号ＥＮＢＸに応じて、データ線１４ｂへの信号の供給を制御することができる。第２実施形態では、イネーブル信号ＥＮＢＸのレベル（ハイレベルとローレベル）を変化させることによって、画素１４ｃのトランジスタ１４ｄにおけるゲート選択時間を変化させる制御を行う。これによって、画素１４ｃの電荷チャージ量を変化させる。
【００５５】
次に、図１２は、第２実施形態において用いる各制御信号のタイミングチャートを示す。図１２（ａ）はスタートパルスＤＸを示し、図１２（ｂ）はデータ転送クロックＣＬＸを示し、図１２（ｃ）はシフトレジスタ１２ｐａから出力される信号Ｓ１’〜Ｓｌ’を示し、図１２（ｄ）はコントローラ１０ｐから出力されるイネーブル信号ＥＮＢＸを示し、図１２（ｅ）はアンド回路１２ｐｂ１〜１２ｐｌｂから出力される信号Ｓ１〜Ｓｌを示している。図１２（ｄ）に示すように、コントローラ１０ｐは、イネーブル信号ＥＮＢＸをハイレベルとローレベルとの間で切り替える。これにより、図１２（ｅ）に示すように、イネーブル信号ＥＮＢＸがハイレベルとなっている期間Ｔ２のみ、アンド回路１２ｐｂ１〜１２ｐｌｂから信号Ｓ１〜Ｓｌが出力されることがわかる。したがって、この期間Ｔ２のみ、データ線駆動回路１２ｐからデータ信号ｄ１、ｄ２、ｄ３、…、ｄｍが出力されることとなる。即ち、期間Ｔ２は、画素１４ｃのトランジスタ１４ｄにおけるゲート選択時間に相当する。
【００５６】
図１３は、イネーブル信号ＥＮＢＸがハイレベルとなる期間の具体例について説明するための図である。図１３（ａ）は、期間Ｔ２ａだけ、イネーブル信号ＥＮＢＸがハイレベルとなる場合を示している。また、図１３（ｂ）は、期間Ｔ２ａよりも短い期間Ｔ２ｂだけ、イネーブル信号ＥＮＢＸがハイレベルとなる場合を示している。第２実施形態では、１フィールド内の所定のサブフィールドにおいて、イネーブル信号ＥＮＢＸがハイレベルとなる期間を期間Ｔ２ｂに設定し、この所定のサブフィールド以外のサブフィールドにおいて、イネーブル信号ＥＮＢＸがハイレベルとなる期間を期間Ｔ２ａに設定する。これによって、所定のサブフィールドにおけるトランジスタ１４ｄのゲート選択時間を、所定のサブフィールド以外のサブフィールドにおけるゲート選択時間よりも短くすることができる。
【００５７】
以上の第２実施形態によっても、ゲート選択時間を変化させることによって最小階調制御単位を小さくすることができるため、より詳細な階調制御が可能となる。つまり、第２実施形態によれば、走査速度を上げることなく、階調表現力を高めることが可能となる。また、第２実施形態によれば、表示画像のコントラストの低下を抑制しつつ、階調表現力を高めることができる。
【００５８】
なお、第２実施形態においても、表示パネル１４に対して印加する電圧（駆動電圧）の極性を、前述したような所定のタイミングで反転させることができる。
【００５９】
また、ブロック順次駆動における１つの走査線１４ａ当たりの画素１４ｃ数は、６相に限定するものではなく、複数であれば良い。例えば、８つの画素１４ｃによる８相ブロック順次駆動であっても良いし、１２の画素１４ｃによる１２相ブロック順次駆動であっても良い。
【００６０】
［第３実施形態］
次に、本発明の第３実施形態について説明する。第３実施形態においても、前述した第１実施形態及び第２実施形態と同様に、画素１４ｃのトランジスタ１４ｄをオンにする時間を制御することによって、画素１４ｃの電荷チャージ量を変化させる。しかしながら、第３実施形態では、１水平期間において、同一の走査線１４ａに対して複数回連続して信号の書き込みを行い、この複数回の中で信号の書き込み方を変える制御を行う点で、第１実施形態及び第２実施形態と異なる。例えば、第３実施形態では、１水平期間において同一の画素１４ｃに対して４回連続で信号を書き込むところを、４回のうち３回のみ書き込んだり、４回のうち１回のみ書き込んだりすることによって、トランジスタ１４ｄをオンにする時間を制御する。
【００６１】
図１４は、第３実施形態に係る画像表示装置１０２の概略構成を示すブロック図である。画像表示装置１０２は、主に、コントローラ１０と、走査線駆動回路１１ｑと、データ線駆動回路１２と、表示パネル１４と、を備える。画像表示装置１０２は、画像表示装置１００と同様に、サブフィールド駆動方式に基づいて画像を表示する。また、画像表示装置１０２は、１水平期間において、同一の走査線１４ａに対して４回連続して信号を書き込む制御を行う。なお、画像表示装置１００における同一の構成要素及び信号に対しては同一の符号を付し、その説明を省略するものとする。
【００６２】
走査線駆動回路１１ｑは、コントローラ１０からスタートパルスＤＹ及び走査側転送クロックＣＬＹを取得し、表示パネル１４の走査線１４ａに対して走査信号Ｇ１、Ｇ２、Ｇ３、…、Ｇｎを出力する。走査線駆動回路１１ｑは、前述した走査線駆動回路１１と異なり、イネーブル信号ＥＮＢＹを取得しない。よって、走査線駆動回路１１ｑは、主に走査側転送クロックＣＬＹにのみ従って、走査線１４ａに対して走査信号Ｇ１、Ｇ２、Ｇ３、…、Ｇｎを出力することとなる。
【００６３】
また、第３実施形態では、コントローラ１０は、１水平期間において、同一の走査線１４ａに対して４回連続して信号の書き込みを行い、この４回の中で信号の書き込み方を変える制御を行う。具体的には、コントローラ１０は、１水平期間を４つの期間に分割し、この４つの期間の中で信号を書き込む期間を変える制御を行う。
【００６４】
次に、図１５乃至図１７を参照して、１水平期間において４回連続して信号を書き込む場合において、１水平期間の４つの期間（期間Ｔ３ａ〜Ｔ３ｄ）の中で信号を書き込む期間を変える制御を行った場合の結果について説明する。なお、ここでは、データ信号ｄｍの電圧が「１２Ｖ」であり、対向電極電圧Ｖｃｏｍが「７Ｖ」である場合を一例として説明する。
【００６５】
図１５は、４つの期間Ｔ３ａ〜Ｔ３ｄ全てを１２Ｖで書き込んだ場合（つまり、１水平期間の間、１２Ｖで信号を書き込んだ場合）の結果を示す。図１５（ａ）は走査信号Ｇｎを示し、図１５（ｂ）はチャージ電圧Ｖｌｃを示し、図１５（ｃ）は透過率ＬＣを示している。この場合、画素１４ｃはデータ信号ｄｍの１２Ｖをチャージし（図１５（ｂ）参照）、液晶１４ｇは１２Ｖの印加電圧に相当する応答をする（図１５（ｃ）参照）。具体的には、１サブフィールドの終了時に透過率が０％まで落ちる。この場合、図１５（ｃ）中の面積Ｍ３（電圧積分値）に相当するだけ暗くなる。
【００６６】
図１６は、３つの期間Ｔ３ｂ〜Ｔ３ｄのみを１２Ｖで書き込んだ場合の結果を示す。図１６（ａ）は走査信号Ｇｎを示し、図１６（ｂ）はチャージ電圧Ｖｌｃを示し、図１６（ｃ）は透過率ＬＣを示している。この場合、図１６（ｂ）に示すように、画素１４ｃはデータ信号ｄｍの１２Ｖをチャージしきれずに、１１Ｖしかチャージできていない。そのため、液晶１４ｇは１１Ｖの印加電圧に相当する応答をする（図１６（ｃ）参照）。具体的には、１サブフィールドの終了時に透過率が２０％までしか落ちない。この場合、図１６（ｃ）中の面積Ｍ４（電圧積分値）に相当するだけ暗くなる。この面積Ｍ４は、４つの期間Ｔ３ａ〜Ｔ３ｄ全てを１２Ｖで書き込んだ場合の面積Ｍ３（図１５（ｃ）参照）よりも小さいと言える。つまり、３つの期間Ｔ３ｂ〜Ｔ３ｄにのみ信号を書き込んだ場合には、４つの期間Ｔ３ａ〜Ｔ３ｄ全てを書き込んだ場合よりも、最小階調制御単位を小さくすることができると言える。
【００６７】
図１７は、１つの期間Ｔ３ｄのみを１２Ｖで書き込んだ場合の結果を示す。図１７（ａ）は走査信号Ｇｎを示し、図１７（ｂ）はチャージ電圧Ｖｌｃを示し、図１７（ｃ）は透過率ＬＣを示している。この場合、図１７（ｂ）に示すように、画素１４ｃはデータ信号ｄｍの１２Ｖをチャージしきれずに、８Ｖしかチャージできていない。そのため、液晶１４ｇは８Ｖの印加電圧に相当する応答をする（図１７（ｃ）参照）。具体的には、１サブフィールドの終了時に透過率が８０％までしか落ちない。この場合、図１７（ｃ）中の面積Ｍ５（電圧積分値）に相当するだけ暗くなる。この面積Ｍ５は、４つの期間Ｔ３ａ〜Ｔ３ｄ全てを１２Ｖで書き込んだ場合の面積Ｍ３（図１５（ｃ）参照）、及び３つの期間Ｔ３ｂ〜Ｔ３ｄを１２Ｖで書き込んだ場合の面積Ｍ４（図１６（ｃ）参照）よりも小さいと言える。つまり、１つの期間Ｔ３ｄのみ信号を書き込んだ場合には、４つの期間Ｔ３ａ〜Ｔ３ｄ全てを書き込んだ場合、及び３つの期間Ｔ３ｂ〜Ｔ３ｄを書き込んだ場合よりも、最小階調制御単位を小さくすることができると言える。
【００６８】
このように、第３実施形態では、１水平期間において、同一の走査線１４ａに対して４回連続して信号の書き込みを行い、この４回の中で信号の書き込み方を変える制御を行う。これによっても、最小階調制御単位を小さくすることができるため、より詳細な階調制御が可能となる。つまり、第３実施形態によれば、走査速度を上げることなく、階調表現力を高めることが可能となる。
【００６９】
なお、１水平期間において同一の走査線１４ａに対して連続して信号を書き込む回数は、４回に限定はされない。
【００７０】
また、第３実施形態においても、表示パネル１４に対して印加する電圧（駆動電圧）の極性を、前述したような所定のタイミングで反転させることができる。
【００７１】
［第４実施形態］
次に、本発明の第４実施形態について説明する。第４実施形態では、１つの走査線１４ａにおける複数の画素１４ｃごとに信号を供給する駆動方式を採用する画像表示装置に対して、前述した第３実施形態に示したような制御を適用するものである。つまり、第４実施形態では、第２実施形態で示した画像表示装置１０１によって（図１１参照）、第３実施形態と同様の制御を実行させる。なお、第４実施形態に係る制御は画像表示装置１０１によって実行されるため、ここでは、画像表示装置１０１が用いる構成要素及び信号などの説明を省略するものとする。
【００７２】
図１８は、第４実施形態に係る制御を説明するための図である。図１８（ａ）は、イネーブル信号ＥＮＢＸをハイレベルにする期間を説明するための図である。第４実施形態では、１つのブロックを選択可能な期間（１ブロック選択期間）を４分割し、分割された４つの期間Ｔ４ａ〜Ｔ４ｄにおいて、イネーブル信号ＥＮＢＸをハイレベルにする期間を変える制御を行う。これにより、データ線駆動回路１２ｐからデータ信号ｄ１、ｄ２、ｄ３、…、ｄｍが出力される期間を変えることが可能となる。即ち、このようにイネーブル信号ＥＮＢＸをハイレベルにする期間を変えることにより、前述した第３実施形態で示したような、４回連続して信号の書き込みを行う場合において信号の書き込み方を変える制御と同様の制御を行うことが可能となる。
【００７３】
図１８（ｂ）には、イネーブル信号ＥＮＢＸをハイレベルにする期間を変えた場合における、画素１４ｃのチャージ電圧Ｖｌｃの例を示している。なお、データ信号ｄｍの電圧は「１２Ｖ」であり、対向電極電圧Ｖｃｏｍは「７Ｖ」であるものとする。
【００７４】
イネーブル信号ＥＮＢＸをハイレベルにする期間として期間Ｔ４ａ〜Ｔ４ｄを選択した場合、画素１４ｃはデータ信号ｄｍの１２Ｖをチャージする。これに対して、イネーブル信号ＥＮＢＸをハイレベルにする期間として期間Ｔ４ｂ〜Ｔ４ｄを選択した場合、画素１４ｃはデータ信号ｄｍの１２Ｖをチャージしきれずに、１１Ｖのみチャージする。更に、イネーブル信号ＥＮＢＸをハイレベルにする期間として期間Ｔ４ｄのみを選択した場合、画素１４ｃはデータ信号ｄｍの１２Ｖをチャージしきれずに、８Ｖのみチャージする。
【００７５】
このようにイネーブル信号ＥＮＢＸをハイレベルにする期間を変えることによって、液晶１４ｇの応答（透過率）を変化させることができ、最小階調制御単位を小さくすることが可能となる。したがって、より詳細な階調制御が可能となる。つまり、第４実施形態によれば、走査速度を上げることなく、階調表現力を高めることが可能となる。
【００７６】
なお、１ブロック選択期間を４分割した期間Ｔ４ａ〜Ｔ４ｄにおいて、イネーブル信号ＥＮＢＸをハイレベルにする期間を変える制御を行うことに限定はされない。他の例では、１ブロック選択期間を３以下又は５以上に分割して、イネーブル信号ＥＮＢＸをハイレベルにする期間を変えることができる。
【００７７】
また、第４実施形態においても、表示パネル１４に対して印加する電圧（駆動電圧）の極性を、前述したような所定のタイミングで反転させることができる。
【００７８】
［電子機器］
次に、上述した実施形態に係る画像表示装置１００（画像表示装置１０１、１０２も含むものとする。）を適用可能な電子機器の具体例について図１９を参照して説明する。
【００７９】
まず、上述した実施形態に係る画像表示装置１００を、可搬型のパーソナルコンピュータ（いわゆるノート型パソコン）の表示部に適用した例について説明する。図１９（ａ）は、このパーソナルコンピュータの構成を示す斜視図である。同図に示すように、パーソナルコンピュータ７１０は、キーボード７１１を備えた本体部７１２と、本発明に係る液晶表示装置１００を適用した表示部７１３とを備えている。
【００８０】
続いて、上述した実施形態に係る画像表示装置１００を、携帯電話機の表示部に適用した例について説明する。図１９（ｂ）は、この携帯電話機の構成を示す斜視図である。同図に示すように、携帯電話機７２０は、複数の操作ボタン７２１のほか、受話口７２２、送話口７２３とともに、本発明に係る画像表示装置１００を適用した表示部７２４を備える。
【００８１】
なお、本発明に係る画像表示装置１００を適用可能な電子機器は、上記したものに限られない。
【００８２】
［変形例］
本発明は、プロジェクタの光変調素子として用いられる透過型や反射型（例えば、ＬＣＯＳ(Liquid Crystal On Silicon)など）の液晶表示装置にも適用することができる。
【００８３】
更に、本発明は、ＴＮ（Twisted Nematic）方式や、ＶＡ（Virtical Alignment）方式や、ＩＰＳ（In-Place-Switching）方式などの駆動方式を用いた種々の液晶に適用することができる。
【００８４】
また、本発明の適用は、液晶（ＬＣＤ）を用いた表示パネル１４に限定されない。走査型の表示デバイスであれば良く、例えば、ＰＤＰ（Plasma Display Panel）やＤＬＰ（digital light processing）などの走査型表示デバイスの駆動装置、または駆動方法として本発明を適用することができる。
【図面の簡単な説明】
【００８５】
【図１】第１実施形態に係る画像表示装置の概略構成を示すブロック図である。
【図２】画素の概略構成を示す図である。
【図３】走査線駆動回路の概略構成を示す図である。
【図４】第１実施形態に係る走査方法を説明するための図である。
【図５】第１実施形態で用いる垂直走査信号及びスタートパルスを示す図である。
【図６】通常サブフィールドにおいて用いる各制御信号のタイミングチャートを示す図である。
【図７】通常サブフィールドにおける駆動を行った場合のチャージ電圧及び透過率を示す図である。
【図８】ゲート選択時間を短くしたサブフィールドにおいて用いる各制御信号のタイミングチャートを示す。
【図９】ゲート選択時間を短くしたサブフィールドにおける駆動を行った場合のチャージ電圧及び透過率を示す図である。
【図１０】液晶の駆動電圧のタイミングチャートを示す図である。
【図１１】第２実施形態に係る画像表示装置の概略構成を示すブロック図である。
【図１２】第２実施形態において用いる各制御信号のタイミングチャートを示す。
【図１３】イネーブル信号がハイレベルとなる期間の具体例を示す図である。
【図１４】第３実施形態に係る画像表示装置の概略構成を示すブロック図である
【図１５】４つの期間全てを１２Ｖで書き込んだ場合の結果を示す図である。
【図１６】３つの期間のみを１２Ｖで書き込んだ場合の結果を示す図である。
【図１７】１つの期間のみを１２Ｖで書き込んだ場合の結果を示す図である。
【図１８】第４実施形態に係る制御を説明するための図である。
【図１９】本発明を適用した電子機器の具体例を示す図である。
【符号の説明】
【００８６】
１０  コントローラ、  １１  走査線駆動回路、  １１ａ  シフトレジスタ、  １１ｂ  アンド回路、  １２  データ線駆動回路、  １４  表示パネル、  １４ａ  走査線、  １４ｂ  データ線、  １４ｃ  画素、  １４ｇ  トランジスタ、  １００  画像表示装置
【図１】
2008304489.tif 000003
【図２】
2008304489.tif 000004
【図３】
2008304489.tif 000005
【図４】
2008304489.tif 000006
【図５】
2008304489.tif 000007
【図６】
2008304489.tif 000008
【図７】
2008304489.tif 000009
【図８】
2008304489.tif 000010
【図９】
2008304489.tif 000011
【図１０】
2008304489.tif 000012
【図１１】
2008304489.tif 000013
【図１２】
2008304489.tif 000014
【図１３】
2008304489.tif 000015
【図１４】
2008304489.tif 000016
【図１５】
2008304489.tif 000017
【図１６】
2008304489.tif 000018
【図１７】
2008304489.tif 000019
【図１８】
2008304489.tif 000020
【図１９】
2008304489.tif 000021